(57)【要約】【課題】噴霧ノズルによる噴霧の開始時、終了時において、噴霧ノズルからの水の滴下を防止し得るようにする。【解決手段】高圧ポンプ２から第一の管路４を介して送水された水を噴霧する感圧逆止弁を有する噴霧ノズル５と、  前記第一の管路４に第二の管路２３を介して接続された与圧タンク２２と、  前記第一の管路４における噴霧ノズル５よりも送水方向上流側で且つ第二の管路２３接続位置よりも送水方向下流側に設けられた第一の開閉弁２４と、  前記高圧ポンプ２の入側に接続された第三の管路３に第四の管路２６を介して接続された膨張タンク２７と、  前記第一の開閉弁２４よりも送水方向下流側において第一の管路４に接続されると共に前記第四の管路２６に接続された第五の管路２９、に設けられた第二の開閉弁２８とを備える。【選択図】図１
2010230238.tif 000002
【特許請求の範囲】
【請求項１】
ポンプから第一の管路を介して送水された水を噴霧する感圧逆止弁を有する噴霧ノズルと、
前記第一の管路に第二の管路を介して接続された与圧タンクと、
前記第一の管路における前記噴霧ノズルよりも送水方向上流側で且つ第二の管路接続位置よりも送水方向下流側に設けられた第一の開閉弁と、
前記ポンプの入側に接続された第三の管路に第四の管路を介して接続された膨張タンクと、
前記第一の開閉弁よりも送水方向下流側において第一の管路に接続されると共に前記第四の管路に接続された第五の管路、に設けられた第二の開閉弁とを備えた
ことを特徴とする水噴霧設備。
【請求項２】
共通ポンプから送水された水を噴霧し得るようにした複数の噴霧系列を備え、
各噴霧系列は、
前記共通ポンプから第六の管路を介して分岐された第一の管路を通り送水された水を噴霧する感圧逆止弁を有する噴霧ノズルと、
前記第一の管路に第二の管路を介して接続された与圧タンクと、
前記第一の管路における前記噴霧ノズルよりも送水方向上流側で且つ第二の管路接続位置よりも送水方向下流側に設けられた第一の開閉弁と、
前記第一の管路において第二の管路の接続位置よりも送水方向上流側に設けられた第三の開閉弁とを備え、
前記共通ポンプの入側に接続された第三の管路に第四の管路を介して接続された膨張タンク側と、前記各噴霧系列の第一の管路における第一の開閉弁接続位置よりも送水方向下流側とは、第二の開閉弁を有する第五の管路及び第五の管路を集合させた第七の管路を介し接続されていることを特徴とする水噴霧設備。
【請求項３】
共通ポンプから送水された水を噴霧し得るようにした複数の噴霧系列を備え、
各噴霧系列は、
前記共通ポンプから、第六の管路を介して分岐された第一の管路を通り送水された水を噴霧する感圧逆止弁を有する噴霧ノズルと、
前記第一の管路に第二の管路を介して接続された与圧タンクと、
前記第一の管路における前記噴霧ノズルよりも送水方向上流側で且つ第二の管路接続位置よりも送水方向下流側に設けられた第一の開閉弁とを備え、
前記共通ポンプの入側に接続された第三の管路に第四の管路を介して接続された膨張タンク側と、前記各噴霧系列の第一の管路における第一の開閉弁接続位置よりも送水方向下流側とは、第二の開閉弁を有する第五の管路及び第五の管路を集合させた第七の管路を介し接続されていることを特徴とする水噴霧設備。 
【請求項４】
共通ポンプから送水された水を噴霧し得るようにした複数の噴霧系列を備え、
各噴霧系列は、
前記共通ポンプから、第六の管路を介して分岐された第一の管路を通り送水された水を噴霧する感圧逆止弁を有する噴霧ノズルと、
前記第六の管路に第二の管路を介して接続された与圧タンクと、
前記第一の管路における前記噴霧ノズルよりも送水方向上流側に設けられた第一の開閉弁とを備え、
前記共通ポンプの入側に接続された第三の管路に第四の管路を介して接続された膨張タンク側と、前記各噴霧系列の第一の管路における第一の開閉弁接続位置よりも送水方向下流側とは、第二の開閉弁を有する第五の管路及び第五の管路を集合させた第七の管路を介し接続されていることを特徴とする水噴霧設備。 
【請求項５】
噴霧ノズルの感圧逆止弁は、弾撥体と該弾撥体により押圧されて閉止される弁体とを備え、弁体は前記第一の管路からの水圧により、弾撥体の抗力に抗して開くよう構成されていることを特徴とする請求項１乃至４の何れかに記載の水噴霧設備。
【請求項６】
請求項１に記載の水噴霧設備の運転方法であって、
水の噴霧を開始する際には、ポンプにより予め与圧タンクに所定の水圧を蓄圧しておいた後、第一の開閉弁を開いて、ポンプにより与圧タンクに蓄圧されている水圧及びポンプからの水圧を掛けることにより、瞬時に噴霧ノズルの感圧逆止弁を開くことで水の噴霧を開始し、
水の噴霧を終了する際には、ポンプを停止すると共に、第一の開閉弁を閉止し且つ第二の開閉弁を開いて第一の開閉弁設置位置よりも送水方向下流側の第一の管路の圧力を膨張タンクに逃がすことにより噴霧ノズルの感圧逆止弁に対する水圧を急低下させ、瞬時に噴霧ノズルの感圧逆止弁を閉止させることを特徴とする水噴霧設備の運転方法。
【請求項７】
請求項２に記載の水噴霧設備の運転方法であって、
複数の噴霧系列のうち水の噴霧を行っている所定の噴霧系列において水の噴霧を終了する際には、水の噴霧を行なっていない系列の第一の開閉弁及び第三の開閉弁は閉止しておき、共通ポンプが運転されている状態で水の噴霧を終了する系列の第一の開閉弁及び第三の開閉弁を閉止すると共に、当該系列の第二の開閉弁を開いて第一の管路の圧力を膨張タンクに逃がすことにより噴霧ノズルの感圧逆止弁に対する水圧を急低下させ、瞬時に噴霧ノズルの感圧逆止弁を閉止させることを特徴とする水噴霧設備の運転方法。
【請求項８】
請求項２に記載の水噴霧設備の運転方法であって、
複数の噴霧系列のうち所定の噴霧系列において水の噴霧を開始する際には、水の噴霧を行わない系列の第一の開閉弁及び第三の開閉弁は閉止しておき、共通ポンプが運転されている状態で水の噴霧を開始する系列の第二の開閉弁は閉止したまま当該系列の第三の開閉弁及び第一の開閉弁を開いて当該系列の与圧タンクに蓄圧されている水圧及び共通ポンプからの水圧を掛けることにより、瞬時に噴霧ノズルの感圧逆止弁を開くことで水の噴霧を開始し、
水の噴霧を行っている当該噴霧系列において水の噴霧を終了する際には、水の噴霧を行なっていない系列の第一の開閉弁及び第三の開閉弁は閉止しておき、共通ポンプが運転されている状態で水の噴霧を終了する系列の第一の開閉弁及び第三の開閉弁を閉止すると共に、当該系列の第二の開閉弁を開いて第一の管路の圧力を膨張タンクに逃がすことにより噴霧ノズルの感圧逆止弁に対する水圧を急低下させ、瞬時に噴霧ノズルの感圧逆止弁を閉止させることを特徴とする水噴霧設備の運転方法。
【請求項９】
請求項３に記載の水噴霧設備の運転方法であって、
複数の噴霧系列のうち所定の噴霧系列において水の噴霧を開始する際には、共通ポンプにより全ての噴霧系列の与圧タンクに予め所定の水圧を蓄圧しておき、全ての噴霧系列の第二の開閉弁を閉止したまま噴霧を開始する噴霧系列の第一の開閉弁を開き、共通ポンプにより与圧タンクに蓄圧されている水圧及び共通ポンプからの水圧を掛けることにより、瞬時に当該噴霧系列の噴霧ノズルの感圧逆止弁を開いて水の噴霧を開始することを特徴とする水噴霧設備の運転方法。
【請求項１０】
請求項３に記載の水噴霧設備の運転方法であって、複数の噴霧系列のうち水の噴霧を行っていた噴霧系列において水の噴霧を終了する際には、水の噴霧を行っていた噴霧系列の第一の開閉弁を閉止し且つ当該噴霧系列の第二の開閉弁を開いて、第一の開閉弁設置位置よりも送水方向下流側の第一の管路の圧力を膨張タンクに逃がすことにより、噴霧ノズルの感圧逆止弁に対する水圧を急低下させ、瞬時に噴霧ノズルの感圧逆止弁を閉止させることを特徴とする水噴霧設備の運転方法。
【請求項１１】
請求項３に記載の水噴霧設備の運転方法であって、
複数の噴霧系列のうち所定の噴霧系列において水の噴霧を開始する際には、共通ポンプにより全ての噴霧系列の与圧タンクに予め所定の水圧を蓄圧しておき、全ての噴霧系列の第二の開閉弁を閉止したまま噴霧を開始する噴霧系列の第一の開閉弁を開き、共通ポンプにより与圧タンクに蓄圧されている水圧及び共通ポンプからの水圧を掛けることにより、瞬時に当該噴霧系列の噴霧ノズルの感圧逆止弁を開いて水の噴霧を開始し、
水の噴霧を終了する際には、水の噴霧を行っていた噴霧系列の第一の開閉弁を閉止し且つ当該噴霧系列の第二の開閉弁を開いて、第一の開閉弁設置位置よりも送水方向下流側の第一の管路の圧力を膨張タンクに逃がすことにより、噴霧ノズルの感圧逆止弁に対する水圧を急低下させ、瞬時に噴霧ノズルの感圧逆止弁を閉止させることを特徴とする水噴霧設備の運転方法。
【請求項１２】
請求項４に記載の水噴霧設備の運転方法であって、
複数の噴霧系列のうち所定の噴霧系列において水の噴霧を開始する際には、共通ポンプにより与圧タンクに予め所定の水圧を蓄圧しておき、全ての噴霧系列の第二の開閉弁を閉止したまま噴霧を開始する噴霧系列の第一の開閉弁を開き、共通ポンプにより与圧タンクに蓄圧されている水圧及び共通ポンプからの水圧を掛けることにより、瞬時に当該噴霧系列の噴霧ノズルの感圧逆止弁を開いて水の噴霧を開始することを特徴とする水噴霧設備の運転方法。 
【請求項１３】
請求項４に記載の水噴霧設備の運転方法であって、
複数の噴霧系列のうち水の噴霧を行っていた噴霧系列において水の噴霧を終了する際には、水の噴霧を行っていた噴霧系列の第一の開閉弁を閉止し且つ当該噴霧系列の第二の開閉弁を開いて、第一の開閉弁設置位置よりも送水方向下流側の第一の管路の圧力を膨張タンクに逃がすことにより、噴霧ノズルの感圧逆止弁に対する水圧を急低下させ、瞬時に噴霧ノズルの感圧逆止弁を閉止させることを特徴とする水噴霧設備の運転方法。
【請求項１４】
請求項４に記載の水噴霧設備の運転方法であって、
複数の噴霧系列のうち所定の噴霧系列において水の噴霧を開始する際には、共通ポンプにより与圧タンクに予め所定の水圧を蓄圧しておき、全ての噴霧系列の第二の開閉弁を閉止したまま噴霧を開始する噴霧系列の第一の開閉弁を開き、共通ポンプにより与圧タンクに蓄圧されている水圧及び共通ポンプからの水圧を掛けることにより、瞬時に当該噴霧系列の噴霧ノズルの感圧逆止弁を開いて水の噴霧を開始し、
水の噴霧を終了する際には、水の噴霧を行っていた噴霧系列の第一の開閉弁を閉止し且つ当該噴霧系列の第二の開閉弁を開いて、第一の開閉弁設置位置よりも送水方向下流側の第一の管路の圧力を膨張タンクに逃がすことにより、噴霧ノズルの感圧逆止弁に対する水圧を急低下させ、瞬時に噴霧ノズルの感圧逆止弁を閉止させることを特徴とする水噴霧設備の運転方法。
【請求項１５】
噴霧ノズルの感圧逆止弁は、第一の管路の水圧が所定の値よりも高い場合は、弁体は弾撥体の弾撥力に抗して開き、第一の管路の水圧が所定の値よりも低い場合は、弁体が弾撥体に押圧されて閉止される請求項６乃至１４の何れかに記載の水噴霧設備の運転方法。
【発明の詳細な説明】
【技術分野】
【０００１】
本発明は、空中に噴霧されたミストの蒸発潜熱を利用して、周囲の温度を下降させるための水噴霧設備及び水噴霧設備の運転方法に関するものである。
【背景技術】
【０００２】
博覧会等のパビリオン等の集客施設が設置された屋外や熱源を有する大型機器が設置された屋内においては、周囲の温度を下降させるため水噴霧設備を使用し、ポンプにより所定圧に加圧された水を噴霧ノズルから噴霧することによりミストを生成させ、このミストの蒸発潜熱により、周囲の温度を下降させることが行われている。
【０００３】
斯かる水噴霧設備の従来の例は、図８に示されている。図中、１は水道水等の水Ｗが貯留される水槽、２は水槽１から管路３を通り供給された水Ｗを加圧して送給する高圧ポンプ、４は加圧されて高圧ポンプ２から送出された水Ｗが送給される管路、５は管路４の送水方向下流側に並列接続された複数の分岐管路６に夫々接続された噴霧ノズル、７は高圧ポンプ２の出側近傍において管路４に設けられた逆止弁、８は高圧ポンプ２と逆止弁７との間において管路４に接続された安全弁、９は管路４の送水方向下流側先端に設けられた空気抜き用の弁である。
【０００４】
図８の水噴霧設備に使用する噴霧ノズル５の詳細は図９に示されている。而して、噴霧ノズル５は、軸心部に中空部１０が形成されると共に、下端に中空部１０に連通する小径の噴霧孔１１が穿設されたノズル本体１２と、ノズル本体１２の上端部において中空部１０に螺合されると共に、軸心部に水供給路１３が穿設され且つ水供給路１３の上端部には、フィルタ１４が嵌合されたプラグ１５と、噴霧孔１１側に位置するよう中空部１０内に嵌合されると共に、外周に螺旋状の溝１６が形成されたブロック１７と、プラグ１５の水供給路１３を開閉し得るよう、中空部１０内に収納された金属球状の弁体１８と、弁体１８をプラグ１５下端において水供給路１３の外周に形成した座部１５ａ側へ付勢し得るよう、プラグ１５とブロック１７との間において中空部１０内に収納されたコイルバネ等の弾撥体１９を備えている。而して、噴霧ノズル５においては、弁体１８と弾撥体１９により水Ｗに対する感圧逆止弁２０が形成されており、プラグ１５の中空部１０に対する軸線方向位置を調整することにより、噴霧孔１１から噴霧される水Ｗの圧力を調整し得るようになっている。又、噴霧ノズル５は、ノズル本体１２を介して分岐管路６の下端に螺合されている。図中、２１は中空部１０下端の漏斗状の斜面である。
【０００５】
図８に示す水噴霧設備においては、高圧ポンプ２を駆動すると、水槽１内の水Ｗは管路３から高圧ポンプ２へ導入され、高圧ポンプ２により加圧されて管路４、分岐管路６を経て噴霧ノズル５へ送給される。
【０００６】
噴霧ノズル５へ供給された水Ｗは、フィルタ１４において微小なごみを除去され、水供給路１３を経て弁体１８に至る。而して、弁体１８に作用する水圧が予め調整された弾撥体１９の撓み量により設定された所定の圧力（例えば、１ＭＰａ）になると、弾撥体１９の弾撥力に抗して弁体１８が座部１５ａから離反して開き始め、水Ｗは水供給路１３から中空部１０を経てブロック１７の溝１６により旋回流となり、中空部１０下端の漏斗状の斜面２１に衝突し、噴霧孔１１を経て噴霧孔１１の下端出口を頂点とする円錐状に広がるミストとなって外部に噴霧を開始され、ミストの蒸発潜熱により周囲の温度が下降させられる。正常噴霧時における水Ｗの水圧は約６ＭＰａ程度である。
【０００７】
噴霧が終了して高圧ポンプ２を停止すると、管路４から噴霧ノズル５までの圧力が低下して水Ｗの噴霧は停止され、弁体１８に作用する圧力が前記所定の圧力（例えば、１ＭＰａ）よりも下降すると、弾撥体１９により付勢された弁体１８は上昇し、座部１５ａに当接する。このため、水供給路１３が閉じられて噴霧ノズル５の感圧逆止弁２０が閉止する。
【０００８】
屋内や屋外において周囲の温度を下降させるため、高圧ポンプにより６ＭＰａ程度に加圧された水をノズルから噴霧することにより粒径が約１０〜３０μｍ程度のミストを生成させ、このミストの蒸発潜熱により、周囲の温度を下降させる水噴霧設備としては特許文献１がある。
【０００９】
特許文献１では、水を加圧して送り出すポンプと、該ポンプに元弁を介して接続される主配水管と、該主配水管に選択弁を介して接続され、前記主配水管と噴霧ヘッドとを連通する子配水管と、前記主配水管に排水弁を介して接続され、前記主配水管内の水を排水する排水配管と、前記子排水管に噴霧ヘッダ、延長配管を介して接続された噴霧ノズルを備えている。
【００１０】
而して、特許文献１においては、噴霧開始時には、選択弁は閉止させた状態で元弁と排水弁を開放し、次いでポンプを起動する。そうすると、主配水管内に残存していた空気が排水配管から水と共に押出されて主配水管内に均一な水圧が掛かるようになる。そこで、排水弁を閉止すると、主配水管内の水圧が所定の圧力（６ＭＰａ）に達する。次いで、選択弁を開放して水を主配水管から子排水管、噴霧ヘッダ、延長配管を介して、噴霧ノズルへ供給し、噴霧ノズルにより水の噴霧を行う。
【００１１】
又、噴霧終了時には、排水弁を開放すると、子排水管等を介して噴霧ノズルの圧力が低下して閉止する。而して、排水弁が開放されてから、若干遅れて元弁と排水弁を停止する。
【先行技術文献】
【特許文献】
【００１２】
【特許文献１】特開２００６−１７７５７７号公報
【発明の概要】
【発明が解決しようとする課題】
【００１３】
図８に示す水噴霧設備においては、定常運転時には、高圧ポンプ２の起動、停止による、管路４内延いては、噴霧ノズル５入側の圧力（水圧）は図１０に示すようになる。すなわち、高圧ポンプ２が停止している際には、管路４内延いては、噴霧ノズル５入口部の圧力は、水槽１に貯留されている水Ｗの水面と噴霧ノズル５の高さとの差に基く水頭圧（例えば、約０．２ＭＰａ程度）であるが、高圧ポンプ２の運転開始後に、高圧ポンプ２の吐出圧力が所定の圧力（約６ＭＰａ程度）になるには、時間遅れＴ１がある。又、高圧ポンプ２の運転停止後に高圧ポンプ２の吐出圧力が低下して元の圧力（約０．２ＭＰａ）まで下降するには、時間遅れＴ２がある。更に、管路４等が高圧ホースのような場合には、高圧ポンプ２の起動、停止による圧力の変動により、管路４等の膨張、収縮が生じるため、噴霧開始時に管路４内の水圧が所定の圧力まで上昇し、或は停止時に所定の圧力まで低下するには、時間遅れＴ１，Ｔ２は大きくなる。
【００１４】
一方、高圧ポンプ２が運転されて、図９の噴霧ノズル５における感圧逆止弁２０の弁体１８に作用する圧力が、設定圧（例えば、約１ＭＰａ程度）になると、弁体１８が開き始める。而して、弁体１８とプラグ１５の座部１５ａとの隙間が小さい間は、水Ｗの水圧が低く、流量が少ないため、中空部１０から溝１６を通って送給された水Ｗは、旋回流を形成せず、その結果、水Ｗは噴霧孔１１からミストの状態では噴霧されず、水滴となって滴下する。又、弁体１８とプラグ１５の座部１５ａとの隙間が大きくなり、水圧が所定の圧力まで昇圧すると、水Ｗは噴霧孔１１から滴下せず、噴霧孔１１の下端出口を頂点として円錐状に広がる噴霧が開始される。
【００１５】
又、高圧ポンプ２の停止時に、水圧が下降して所定の圧力よりも下降すると、弾撥体１９の弾撥力により弁体１８が閉じ始めるため、弁体１８とプラグ１５の座部１５ａとの隙間が小さくなり、設定圧よりも低くなると、弁体１８は完全に閉止するが、水圧が所定の圧力よりも低下した後、弁体１８が完全に閉止するまでの間は、水Ｗは噴霧孔１１から水滴となって滴下する。図１０において時間ｔ１、ｔ２は高圧ポンプ２の運転、停止時に水Ｗが噴霧ノズル５の噴霧孔１１から滴下する時間である。
【００１６】
而して、噴霧の開始時及び終了時に水Ｗが噴霧ノズル５から噴霧されずに滴下すると、水滴が落下して人に掛かったり、周囲を濡らす虞があり好ましくない。又、特許文献１では、高圧ポンプの停止時には水の滴下を防止することができるが、子配水管が長い場合には、運転開始時には子配水管の圧力上昇が十分になり難く、水の滴下を防止することができないことが考えられる。
【００１７】
本発明は、上述の実情に鑑み、噴霧ノズルによる噴霧の開始、終了の何れか、或は開始、終了の両方において、噴霧ノズルからの水の滴下を防止し得るようにした水噴霧設備及び水噴霧設備の運転方法を提供することを目的としてなしたものである。
【課題を解決するための手段】
【００１８】
本発明の請求項１の水噴霧設備は、
ポンプから第一の管路を介して送水された水を噴霧する感圧逆止弁を有する噴霧ノズルと、
前記第一の管路に第二の管路を介して接続された与圧タンクと、
前記第一の管路における前記噴霧ノズルよりも送水方向上流側で且つ第二の管路接続位置よりも送水方向下流側に設けられた第一の開閉弁と、
前記ポンプの入側に接続された第三の管路に第四の管路を介して接続された膨張タンクと、
前記第一の開閉弁よりも送水方向下流側において第一の管路に接続されると共に前記第四の管路に接続された第五の管路、に設けられた第二の開閉弁とを備えたものである。
【００１９】
請求項２の水噴霧設備は、
共通ポンプから送水された水を噴霧し得るようにした複数の噴霧系列を備え、
各噴霧系列は、
前記共通ポンプから第六の管路を介して分岐された第一の管路を通り送水された水を噴霧する感圧逆止弁を有する噴霧ノズルと、
前記第一の管路に第二の管路を介して接続された与圧タンクと、
前記第一の管路における前記噴霧ノズルよりも送水方向上流側で且つ第二の管路接続位置よりも送水方向下流側に設けられた第一の開閉弁と、
前記第一の管路において第二の管路の接続位置よりも送水方向上流側に設けられた第三の開閉弁とを備え、
前記共通ポンプの入側に接続された第三の管路に第四の管路を介して接続された膨張タンク側と、前記各噴霧系列の第一の管路における第一の開閉弁接続位置よりも送水方向下流側とは、第二の開閉弁を有する第五の管路及び第五の管路を集合させた第七の管路を介し接続されているものである。
【００２０】
請求項３の水噴霧設備は、
共通ポンプから送水された水を噴霧し得るようにした複数の噴霧系列を備え、
各噴霧系列は、
前記共通ポンプから、第六の管路を介して分岐された第一の管路を通り送水された水を噴霧する感圧逆止弁を有する噴霧ノズルと、
前記第一の管路に第二の管路を介して接続された与圧タンクと、
前記第一の管路における前記噴霧ノズルよりも送水方向上流側で且つ第二の管路接続位置よりも送水方向下流側に設けられた第一の開閉弁とを備え、
前記共通ポンプの入側に接続された第三の管路に第四の管路を介して接続された膨張タンク側と、前記各噴霧系列の第一の管路における第一の開閉弁接続位置よりも送水方向下流側とは、第二の開閉弁を有する第五の管路及び第五の管路を集合させた第七の管路を介し接続されているものである。 
【００２１】
請求項４の水噴霧設備は、
共通ポンプから送水された水を噴霧し得るようにした複数の噴霧系列を備え、
各噴霧系列は、
前記共通ポンプから、第六の管路を介して分岐された第一の管路を通り送水された水を噴霧する感圧逆止弁を有する噴霧ノズルと、
前記第六の管路に第二の管路を介して接続された与圧タンクと、
前記第一の管路における前記噴霧ノズルよりも送水方向上流側に設けられた第一の開閉弁とを備え、
前記共通ポンプの入側に接続された第三の管路に第四の管路を介して接続された膨張タンク側と、前記各噴霧系列の第一の管路における第一の開閉弁接続位置よりも送水方向下流側とは、第二の開閉弁を有する第五の管路及び第五の管路を集合させた第七の管路を介し接続されているものである。 
【００２２】
請求項５の水噴霧設備は、
噴霧ノズルの感圧逆止弁は、弾撥体と該弾撥体により押圧されて閉止される弁体とを備え、弁体は前記第一の管路からの水圧により、弾撥体の抗力に抗して開くよう構成されているものである。
【００２３】
請求項６の水噴霧設備の運転方法においては、
水の噴霧を開始する際には、ポンプにより予め与圧タンクに所定の水圧を蓄圧しておいた後、第一の開閉弁を開いて、ポンプにより与圧タンクに蓄圧されている水圧及びポンプからの水圧を掛けることにより、瞬時に噴霧ノズルの感圧逆止弁を開くことで水の噴霧を開始し、
水の噴霧を終了する際には、ポンプを停止すると共に、第一の開閉弁を閉止し且つ第二の開閉弁を開いて第一の開閉弁設置位置よりも送水方向下流側の第一の管路の圧力を膨張タンクに逃がすことにより噴霧ノズルの感圧逆止弁に対する水圧を急低下させ、瞬時に噴霧ノズルの感圧逆止弁を閉止させるものである。
【００２４】
請求項７の水噴霧設備の運転方法においては、
複数の噴霧系列のうち水の噴霧を行っている所定の噴霧系列において水の噴霧を終了する際には、水の噴霧を行なっていない系列の第一の開閉弁及び第三の開閉弁は閉止しておき、共通ポンプが運転されている状態で水の噴霧を終了する系列の第一の開閉弁及び第三の開閉弁を閉止すると共に、当該系列の第二の開閉弁を開いて第一の管路の圧力を膨張タンクに逃がすことにより噴霧ノズルの感圧逆止弁に対する水圧を急低下させ、瞬時に噴霧ノズルの感圧逆止弁を閉止させるものである。
【００２５】
請求項８の水噴霧設備の運転方法においては、
複数の噴霧系列のうち所定の噴霧系列において水の噴霧を開始する際には、水の噴霧を行わない系列の第一の開閉弁及び第三の開閉弁は閉止しておき、共通ポンプが運転されている状態で水の噴霧を開始する系列の第二の開閉弁は閉止したまま当該系列の第三の開閉弁及び第一の開閉弁を開いて当該系列の与圧タンクに蓄圧されている水圧及び共通ポンプからの水圧を掛けることにより、瞬時に噴霧ノズルの感圧逆止弁を開くことで水の噴霧を開始し、
水の噴霧を行っている当該噴霧系列において水の噴霧を終了する際には、水の噴霧を行なっていない系列の第一の開閉弁及び第三の開閉弁は閉止しておき、共通ポンプが運転されている状態で水の噴霧を終了する系列の第一の開閉弁及び第三の開閉弁を閉止すると共に、当該系列の第二の開閉弁を開いて第一の管路の圧力を膨張タンクに逃がすことにより噴霧ノズルの感圧逆止弁に対する水圧を急低下させ、瞬時に噴霧ノズルの感圧逆止弁を閉止させるものである。
【００２６】
請求項９の水噴霧設備の運転方法においては、
複数の噴霧系列のうち所定の噴霧系列において水の噴霧を開始する際には、共通ポンプにより全ての噴霧系列の与圧タンクに予め所定の水圧を蓄圧しておき、全ての噴霧系列の第二の開閉弁を閉止したまま噴霧を開始する噴霧系列の第一の開閉弁を開き、共通ポンプにより与圧タンクに蓄圧されている水圧及び共通ポンプからの水圧を掛けることにより、瞬時に当該噴霧系列の噴霧ノズルの感圧逆止弁を開いて水の噴霧を開始するものである。
【００２７】
請求項１０の水噴霧設備の運転方法においては、
複数の噴霧系列のうち水の噴霧を行っていた噴霧系列において水の噴霧を終了する際には、水の噴霧を行っていた噴霧系列の第一の開閉弁を閉止し且つ当該噴霧系列の第二の開閉弁を開いて、第一の開閉弁設置位置よりも送水方向下流側の第一の管路の圧力を膨張タンクに逃がすことにより、噴霧ノズルの感圧逆止弁に対する水圧を急低下させ、瞬時に噴霧ノズルの感圧逆止弁を閉止させるものである。
【００２８】
請求項１１の水噴霧設備の運転方法においては、
複数の噴霧系列のうち所定の噴霧系列において水の噴霧を開始する際には、共通ポンプにより全ての噴霧系列の与圧タンクに予め所定の水圧を蓄圧しておき、全ての噴霧系列の第二の開閉弁を閉止したまま噴霧を開始する噴霧系列の第一の開閉弁を開き、共通ポンプにより与圧タンクに蓄圧されている水圧及び共通ポンプからの水圧を掛けることにより、瞬時に当該噴霧系列の噴霧ノズルの感圧逆止弁を開いて水の噴霧を開始し、
水の噴霧を終了する際には、水の噴霧を行っていた噴霧系列の第一の開閉弁を閉止し且つ当該噴霧系列の第二の開閉弁を開いて、第一の開閉弁設置位置よりも送水方向下流側の第一の管路の圧力を膨張タンクに逃がすことにより、噴霧ノズルの感圧逆止弁に対する水圧を急低下させ、瞬時に噴霧ノズルの感圧逆止弁を閉止させるものである。
【００２９】
請求項１２の水噴霧設備の運転方法においては、
複数の噴霧系列のうち所定の噴霧系列において水の噴霧を開始する際には、共通ポンプにより与圧タンクに予め所定の水圧を蓄圧しておき、全ての噴霧系列の第二の開閉弁を閉止したまま噴霧を開始する噴霧系列の第一の開閉弁を開き、共通ポンプにより与圧タンクに蓄圧されている水圧及び共通ポンプからの水圧を掛けることにより、瞬時に当該噴霧系列の噴霧ノズルの感圧逆止弁を開いて水の噴霧を開始するものである。 
【００３０】
請求項１３の水噴霧設備の運転方法においては、
複数の噴霧系列のうち水の噴霧を行っていた噴霧系列において水の噴霧を終了する際には、水の噴霧を行っていた噴霧系列の第一の開閉弁を閉止し且つ当該噴霧系列の第二の開閉弁を開いて、第一の開閉弁設置位置よりも送水方向下流側の第一の管路の圧力を膨張タンクに逃がすことにより、噴霧ノズルの感圧逆止弁に対する水圧を急低下させ、瞬時に噴霧ノズルの感圧逆止弁を閉止させるものである。
【００３１】
請求項１４の水噴霧設備の運転方法においては、
複数の噴霧系列のうち所定の噴霧系列において水の噴霧を開始する際には、共通ポンプにより与圧タンクに予め所定の水圧を蓄圧しておき、全ての噴霧系列の第二の開閉弁を閉止したまま噴霧を開始する噴霧系列の第一の開閉弁を開き、共通ポンプにより与圧タンクに蓄圧されている水圧及び共通ポンプからの水圧を掛けることにより、瞬時に当該噴霧系列の噴霧ノズルの感圧逆止弁を開いて水の噴霧を開始し、
水の噴霧を終了する際には、水の噴霧を行っていた噴霧系列の第一の開閉弁を閉止し且つ当該噴霧系列の第二の開閉弁を開いて、第一の開閉弁設置位置よりも送水方向下流側の第一の管路の圧力を膨張タンクに逃がすことにより、噴霧ノズルの感圧逆止弁に対する水圧を急低下させ、瞬時に噴霧ノズルの感圧逆止弁を閉止させるものである。
【００３２】
請求項１５の水噴霧設備に運転方法においては、
噴霧ノズルの感圧逆止弁は、第一の管路の水圧が所定の値よりも高い場合は、弁体は弾撥体の弾撥力に抗して開き、第一の管路の水圧が所定の値よりも低い場合は、弁体が弾撥体に押圧されて閉止されるものである。
【発明の効果】
【００３３】
請求項１、２、３、４、６、８、１１、１４に記載の発明によれば、噴霧開始時及び噴霧終了時の何れにおいても、噴霧ノズルから水が滴下することを防止することができ、請求項９、１２に記載の発明によれば、噴霧開始時において噴霧ノズルから水が滴下することを防止することができ、請求項７、１０、１３に記載の発明によれば、噴霧終了時に噴霧ノズルから水が滴下することを防止することができ、又、請求項５、１５の感圧逆止弁は上記全ての請求項に記載の発明に適用することができる。
【図面の簡単な説明】
【００３４】
【図１】本発明の水噴霧設備及び水噴霧設備の運転方法の実施例１の系統図である。
【図２】図２（ａ）〜（ｆ）は図１の水噴霧設備により水の噴霧を行う場合の各機器のタイミングチャートである。
【図３】本発明の水噴霧設備及び水噴霧設備の運転方法の実施例２の系統図である。
【図４】図４（ａ）〜（ｆ）は図３の水噴霧設備により水の噴霧を行う場合の各機器のタイミングチャートである。
【図５】本発明の水噴霧設備及び水噴霧設備の運転方法の実施例３の系統図である。
【図６】図６（ａ）〜（ｅ）は図５の水噴霧設備により水の噴霧を行う場合の各機器のタイミングチャートである。
【図７】本発明の水噴霧設備及び水噴霧設備の運転方法の実施例４の系統図である。
【図８】従来の水噴霧設備の一例の系統図である。
【図９】従来の水噴霧設備及び本発明の水噴霧設備で使用する噴霧ノズルの縦断面図である。
【図１０】図９に示す噴霧ノズルが噴霧を行う際の時間と圧力の関係を示すグラフである。
【発明を実施するための形態】
【００３５】
以下、本発明の実施の形態を図示例と共に説明する。
【実施例１】
【００３６】
図１及び図２は本発明の水噴霧設備及び水噴霧設備の運転方法の実施例１であり、請求項１、５、６、１５に係るものである。図中、図８と同一のものには同一の符号が付してある。又、噴霧ノズル５は、以下に説明する全ての実施形態例において、図９に示すものと同一の構造である。更に、以下の説明では、全ての実施例において、送水方向とは、水噴霧時における水の送給方向、すなわち、高圧ポンプ２から噴霧ノズル５へ向かう方向をいう。更に又、以下の全ての実施例において、同一のものには同一の符号が付してある。
【００３７】
而して、実施例１では、第一の管路４には、逆止弁７の設置位置よりも送水方向下流側で、且つ、分岐管路６のうち送水方向最上流側の分岐管路６の接続位置よりも送水方向上流側において、アキュムレータとして機能する与圧タンク２２が第二の管路２３を介して接続されている。又、第一の管路４の第二の管路２３に対する接続位置Ａと、分岐管路６のうち送水方向最上流側の分岐管路６の接続位置Ｂとの間には、第一の開閉弁２４が設けられている。
【００３８】
又、水槽１と高圧ポンプ２を接続する第三の管路３には、逆流防止機構２５と高圧ポンプ２との間において、第四の管路２６を介してアキュムレータとして機能する膨張タンク２７が接続され、第一の管路４には、第一の開閉弁２４の設置位置よりも送水方向下流側で、且つ、分岐管路６のうち送水方向最上流側の分岐管路６の接続位置Ｂよりも送水方向上流側である接続位置Ｃにおいて、中途部に第二の開閉弁２８を備えた第五の管路２９が接続され、第五の管路２９の先端は第四の管路２６に接続されている。図中、３０は制御器であり、該制御器３０は一定湿度以下或は一定温度以上の条件下で行われる運転時に、適宜、高圧ポンプ２の起動、停止指令や第一の開閉弁２４、第二の開閉弁２８を開閉する指令を出力し得るようになっていると共に、タイマによってスケジュール運転を行うようになっている。
【００３９】
次に、実施例１の作動を図２（ａ）〜（ｆ）、図９をも参照しつつ説明する。
噴霧ノズル５から水Ｗの噴霧を行う場合は、第一の開閉弁２４、第二の開閉弁２８は何れも閉止させた状態で（図２（ｂ）のｉ、図２（ｃ）のｉｉ参照）、高圧ポンプ２を起動する（図２（ａ）のｉｉｉ参照）。このため、水槽１の水Ｗは第三の管路３から高圧ポンプ２に導入され、加圧されて第一の管路４へ送出される。而して、第一の開閉弁２４、第二の開閉弁２８は閉止されているため、水Ｗは第一の管路４における第一の開閉弁２４よりも下流側や、第五の管路２９側延いては膨張タンク２７には送給されず、その結果、最初の運転開始時やメンテナンス後の運転開始時には、水は第二の管路２３から与圧タンク２２に供給されて水圧は低圧から所定の圧力に達するまで所定時間を掛けて蓄圧される（図２（ｄ）のｉｖ参照）。この際、与圧タンク２２に蓄圧される水圧は６Ｍｐａ程度である。又、第一の管路４の第一の開閉弁２４よりも送水方向上流側の部分も、与圧タンク２２と略同一の水圧となる。
【００４０】
而して、高圧ポンプ２の起動後一定時間が経過して、与圧タンク２２内が所定の圧力に蓄圧された状態になると（図２（ｄ）のｖ参照）、第一の開閉弁２４が開となり（図２（ｂ）のｖｉ参照）、高圧ポンプ２からの水圧と与圧タンク２２に蓄圧されていた水圧は、第一の管路４における第一の開閉弁２４よりも送水方向上流側から、第一の開閉弁２４よりも送水方向下流側の第一の管路４を通って、噴霧ノズル５入側へ瞬時に作用する（図２（ｆ）のｖｉｉ参照）。このため、噴霧ノズル５の図９に示す弁体１８は瞬時に開き、水Ｗは噴霧ノズル５から滴下することなくミストとして噴霧を開始される。又、高圧ポンプ２が運転されることにより、高圧ポンプ２の吸込み圧が管路２６を介して膨張タンク２７に作用するため、膨張タンク２７内の圧力が低下する結果、膨張タンク２７内は低圧（例えば、約０．２ＭＰａ）となる（図２（ｅ）のｖｉｉｉ参照）。
【００４１】
噴霧が終了して高圧ポンプ２が停止すると（図２（ａ）のｉｘ参照）、第一の開閉弁２４が閉止し（図２（ｂ）のｘ参照）、しかる後、第二の開閉弁２８が開く（図２（ｃ）のｘｉ参照。）。このため、第一の開閉弁２４よりも送水方向下流側の第一の管路４内の水圧は第五の管路２９を通り膨張タンク２７に瞬時に逃げて当該膨張タンク２７に蓄圧され（図２（ｅ）のｘｉｉ参照）、第一の開閉弁２４よりも送水方向下流側の第一の管路４や分岐管路６内の圧力が低下する。この際、膨張タンク２７への蓄圧圧力延いては噴霧ノズル５入側の水圧は、弁体１８が開きはじめる圧力である１ＭＰａよりも低い０．５ＭＰａ程度である。その結果、噴霧ノズル５の弁体１８に作用する水圧は瞬時に下降し（図２（ｆ）のｘｉｉｉ参照）、弾撥体１９により噴霧ノズル５の弁体１８は瞬時に閉止する。このため、実施例１においては、噴霧終了時においても、噴霧ノズル５から水が滴下することはない。
【００４２】
又、高圧ポンプ２の停止時には、第一の開閉弁２４が閉止するため、第一の管路４の逆止弁７から第一の開閉弁２４までの間は圧力が低下せず、その結果、第二の管路２３から与圧タンク２２内の圧力も時間が経過しても低下することなく高圧に維持される（図２（ｄ）のｘｉｖ参照）。従って、運転開始後やメンテナンス後の２回目の水の噴霧からは、高圧ポンプ２の起動時においては、与圧タンク２２内には所定の水圧が蓄圧されている（図２（ｄ）のｘｖ参照）。その結果、与圧タンク２２に蓄圧するための時間が省略されて、高圧ポンプ２が起動されたら直ちに第一の開閉弁２４を開とすることが可能となるため、噴霧ノズル５からの水噴霧を迅速に開始することも可能となる。而して、本図示例によれば、水Ｗの噴霧開始時及び噴霧終了時において、噴霧ノズル５から水Ｗが滴下するのを防止することができる。
【実施例２】
【００４３】
図３及び図４は本発明の水噴霧設備及び水噴霧設備の運転方法の実施例２であり、請求項２、５、７、８、１５に係るものである。而して、実施例２では、図１の水噴霧設備の噴霧ノズル５、与圧タンク２２、第一の開閉弁２４、第二の開閉弁２８、制御器３０を複数系列設けると共に、各系列に第三の開閉弁３１を設け、水噴霧設備を並列配置された第一噴霧系列、第二噴霧系列、・・・第Ｎ噴霧系列の複数系列とした例である。
【００４４】
又、実施例２では、水槽１、第三の管路３、逆流防止機構２５、高圧ポンプ２、逆止弁７の系統は、前記各実施形態例と同様の配置で、一系列であり、第一噴霧系列、第二噴霧系列・・・第Ｎ噴霧系列の何れの運転においても共通して使用される。而して、全系列に対しての共通ポンプである高圧ポンプ２の吐出側が接続された第六の管路４ａは、高圧ポンプ２の出側において分岐されて、本例では並列な三系列に分かれ、第六の管路４ａに並列接続された各第一の管路４には、送水方向上流側から下流側に向けて順次、第三の開閉弁３１、第一の開閉弁２４が設けられ、各第一の管路４の第一の開閉弁２４よりも送水方向下流側には、並列接続された複数の分岐管路６を介して噴霧ノズル５が接続されている。
【００４５】
各噴霧系列の第一の管路４における第三の開閉弁３１と第一の開閉弁２４との間には、第二の管路２３を介して与圧タンク２２が接続され、第一の管路４における第一の開閉弁２４接続部よりも水噴霧時における送水方向下流側には、中途部に第二の開閉弁２８を備えた第五の管路２９が接続されている。又、第五の管路２９は、第二の開閉弁２８の出側において第七の管路２９ａに合流し、第七の管路２９ａは、先端に膨張タンク２７が設けられた第四の管路２６を介し、高圧ポンプ２入り側の第三の管路３に接続されている。又、膨張タンク２７は、図３に示すように、高圧ポンプ２側に設ける他に、高圧ポンプ２から離反した系列の水噴霧設備側においては、第七の管路２９ａの端部に直接接続する。
【００４６】
３２は第六の管路４ａと第七の管路２９ａとを接続する管路３３の中途部に接続された圧力制御弁である。更に、３４は制御器であって、何れかの系列において水噴霧設備の運転を行う場合は、高圧ポンプ２に起動指令を与えると共に、全ての系列で水の噴霧を行わない場合は、高圧ポンプ２に停止指令を与え得るようになっており、しかも、高圧ポンプ２に起動、停止指令を出力した場合は、各系列の水噴霧設備における制御器３０に対しその旨の指令を与え得るようになっている。
【００４７】
又、制御器３０は、一定湿度以下或は一定温度以上の条件の下で行われる運転時に、適宜、第一の開閉弁２４、第二の開閉弁２８、第三の開閉弁３１を開閉する指令を出力し得るようになっていると共に、タイマによってスケジュール運転を行うようになっている。
【００４８】
次に、実施例２の作動を図４（ａ）〜（ｆ）、図９をも参照しつつ説明する。なお、本図示例においては、何れかの噴霧系列において水Ｗの噴霧を行っている場合、共通ポンプである高圧ポンプ２は停止することなく連続運転となる。
【００４９】
例えば、第一噴霧系列の水噴霧設備で水Ｗの噴霧を行い、第二噴霧系列、・・・第Ｎ噴霧系列の水噴霧設備では水Ｗの噴霧を行わない場合、第一噴霧系列の水噴霧設備においても、最初は第三の開閉弁３１、第一の開閉弁２４、第二の開閉弁２８は閉止されている。又、第二噴霧系列、・・・第Ｎ噴霧系列の水噴霧設備においても、第三の開閉弁３１、第一の開閉弁２４、第二の開閉弁２８は何れも閉止されている。
【００５０】
而して、第一系列において第三の開閉弁３１が開くと（図４（ｃ）のｘｖｉ参照）、水槽１から第三の管路３を通り高圧ポンプ２に導入された水Ｗは、加圧されて高圧ポンプ２から第六の管路４ａへ送出され、第六の管路４ａから第一噴霧系列の第一の管路４へ送給され、第一の管路４から第二の管路２３を介して与圧タンク２２に蓄圧される。最初の運転開始時やメンテナンス後の運転開始時には、与圧タンク２２に蓄圧される水圧は低圧から所定の圧力に達するまで所定時間を掛けて蓄圧される（図４（ｄ）のｘｖｉｉ参照）。
【００５１】
而して、与圧タンク２２に所定の蓄圧が行われると第一の開閉弁２４が開くため（図４（ａ）のｘｖｉｉｉ参照）、高圧ポンプ２からの水Ｗ及び蓄圧されていた与圧タンク２２からの水Ｗの水圧は、第一の管路４、分岐管路６から瞬時に噴霧ノズル５の入側に作用し（図４（ｆ）のｘｉｘ参照）、噴霧ノズル５の弁体１８は瞬時に開く。このため、水Ｗは噴霧ノズル５から滴下することなくミストとして噴霧を開始される。又、高圧ポンプ２が運転されることにより、高圧ポンプ２の吸込み圧が第四の管路２６、又は、第四の管路２６と第七の管路２９ａを介して、２個の膨張タンク２７に作用するため、膨張タンク２７内の圧力が低下する結果、膨張タンク２７内は低圧（例えば、約０．２ＭＰａ）となる（図４（ｅ）のｘｘ参照）。
【００５２】
噴霧が終了すると、第一の開閉弁２４及び第三の開閉弁３１が閉止し（図４（ａ）のｘｘｉ、図４（ｃ）のｘｘｉｉ参照）、第二の開閉弁２８が開く（図４（ｂ）のｘｘｉｉｉ参照）。このため、第一噴霧系列においては、第一の管路４の第一の開閉弁２４よりも送水方向下流側や分岐管路６内の水圧は、瞬時に下降し、第五の管路２９及び第七の管路２９ａから膨張タンク２７に蓄圧される（図４（ｅ）のｘｘｉｖ参照）。その結果、噴霧ノズル５の弁体１８の入側に作用する水圧は瞬時に下降し（図４（ｆ）のｘｘｖ参照）、弾撥体１９により噴霧ノズル５の弁体１８は瞬時に閉止する。このため、本形態例においては、噴霧の終了時にも噴霧ノズル５から水が滴下することはない。噴霧ノズル５の弁体１８が閉止して所定時間経過したら、第二の開閉弁２８も閉止される（図４（ｂ）のｘｘｖｉ参照）。
【００５３】
又、噴霧終了時には、第一の開閉弁２４、第三の開閉弁３１が閉止されるため、与圧タンク２２の水圧は下降せず、高圧の状態を維持する（図４（ｄ）のｘｘｖｉｉ参照）。このため、運転開始後やメンテナンス後の２回目以降の水の噴射の場合には、与圧タンク２２は蓄圧された状態（図４（ｄ）のｘｘｖｉｉｉ参照）で運転を開始することができる。その結果、与圧タンク２２に蓄圧するための時間が省略されて、噴霧ノズル５からの水噴霧を迅速に開始することも可能となる。而して、本図示例によれば、水Ｗの噴霧開始時及び噴霧終了時において、噴霧ノズル５から水Ｗが滴下するのを防止することができる。
【００５４】
上記実施例２では、第一噴霧系列の水噴霧設備により噴霧を行なう場合について説明しているが、同時に複数系列の水噴霧設備により噴霧を行うようにすることもできる。この場合は、上述の第一噴霧系列の場合と同様に運転が行われる。又、例えば、図３に示す水噴霧設備の場合、第Ｎ噴霧系列の水噴霧設備は、図の右側に示す膨張タンク２７に近接しており、水圧はこの右側の膨張タンク２７に、より短時間で圧力伝播されるため、噴霧の終了時には、第Ｎ噴霧系列の水圧は図の右側に示されている膨張タンク２７に吸収されることになり、第Ｎ噴霧系列においても噴霧ノズル５からの水Ｗの滴下を確実に防止することができる。
【００５５】
噴霧されている系列が少なくて、高圧ポンプ２から第六の管路４ａへ吐出される水Ｗが過剰な場合には、水Ｗは圧力調整弁３２を通って管路３３、第七の管路２９ａ、第四の管路２６から第三の管路３側へ戻される。
【実施例３】
【００５６】
図５及び図６は、本発明の水噴霧設備及び水噴霧設備の運転方法の実施例３で、図３に示す実施例の変形例であり、請求項３、５、９、１０、１１、１５に係るものである。図中、図３と同一のものには同一の符号が付してある。
【００５７】
而して、実施例３の特徴とするところは、前述の図３の実施例２においては、各噴霧系列の第一の管路４には、与圧タンク２２に接続された第二の管路２３の第一の管路４に対する接続位置Ａよりも送水方向上流側において、第三の開閉弁３１を設けているのに対し、本実施例３では、何れの第一の管路４に対しても第三の開閉弁３１を設けないようにした点であり、それ以外の点においては図３の実施例２と同じである。
【００５８】
次に、実施例３の作動を図６（ａ）〜（ｅ）、図９をも参照しつつ説明する。例えば、最初の運転開始前やメンテナンス後の運転開始前には、高圧ポンプ２が停止していると共に、全ての噴霧系列において、第一の開閉弁２４、第二の開閉弁２８は閉止しており、全ての噴霧系列の与圧タンク２２は低圧の状態になっている。
【００５９】
而して、最初の運転開始時やメンテナンス後の運転開始時に高圧ポンプ２が起動されると、高圧ポンプ２から吐出された水Ｗは、第六の管路４ａから全ての噴霧系列の第一の管路４に送給されるため、全ての系列において、水Ｗは第一の管路４から第二の管路２３を経て与圧タンク２２に送給され、蓄圧が開始される。高圧ポンプ２が起動されて与圧タンク２２に蓄圧される水圧は、低圧から所定の圧力に達するまで所定時間を掛けて蓄圧される（図６（ｃ）のｘｘｉｘ参照）。高圧ポンプ２は何れかの噴霧系列で噴霧を行っている間は、停止することなく連続して駆動される。
【００６０】
与圧タンク２２に所定の水圧が蓄圧されたら、水の噴霧を行う所定の噴霧系列、例えば第一噴霧系列の第一の開閉弁２４を開く（図６（ａ）のｘｘｘ参照）。そうすると、高圧ポンプ２からの水Ｗの水圧及び全ての噴霧系列の与圧タンク２２に蓄圧されていた水圧は瞬時に、当該噴霧系列の第一の開閉弁２４が開かれた第一の噴霧系列の噴霧ノズル５の入側に作用し（図６（ｅ）のｘｘｘｉ参照）、このため、噴霧ノズル５の弁体１８は瞬時に開き、水Ｗは噴霧ノズル５から滴下することなくミストとして噴霧を開始される。
【００６１】
又、高圧ポンプ２の運転が開始されることにより、高圧ポンプ２の吸込み圧が第四の管路２６、或は、第四の管路２６、第七の管路２９ａを介して２個の膨張タンク２７に作用するため、各膨張タンク２７内の圧力が低下する結果、膨張タンク２７内は低圧（例えば、約０．２Ｍｐａ）となる（図６（ｄ）のｘｘｘｉｉ参照）。
【００６２】
第一の噴霧系列において噴霧が終了すると、当該系列の第一の開閉弁２４が閉止される（図６（ａ）のｘｘｘｉｉｉ参照）。又、第一の開閉弁２４が閉止されたら、第一噴霧系列の第二の開閉弁２８が開く（図６（ｂ）のｘｘｘｉｖ参照）。このため、第一噴霧系列においては、分岐管路６、第一の管路４の第一の開閉弁２４接続位置よりも送水方向下流側の水Ｗの水圧は、瞬時に下降して第五の管路２９、第七の管路２９ａから、或は第五の管路２９、第七の管路２９ａ、第四の管路２６から、膨張タンク２７に蓄圧される（図６（ｄ）のｘｘｘｖ参照）。その結果、噴霧ノズル５の弁体１８の入側に作用する水圧は瞬時に下降し（図６（ｅ）のｘｘｘｖｉ参照）、弾撥体１９により噴霧ノズル５の弁体１８は瞬時に閉止する。このため、実施例３においても、噴霧の終了時に噴霧ノズル５から水が滴下することはない。噴霧ノズル５の弁体１８が閉止したら第二の開閉弁２８も閉止する（図６（ｂ）のｘｘｘｖｉｉ参照）。
【００６３】
高圧ポンプ２が起動されたら、全ての噴霧系列での水の噴霧が終了するまでは、高圧ポンプ２は連続運転されているため、第２回目以降の水Ｗの噴霧時には全ての噴霧系列の与圧タンク２２は蓄圧された状態にある（図６（ｃ）のｘｘｘｖｉｉｉ参照）。
【実施例４】
【００６４】
図７は、本発明の水噴霧設備及び水噴霧設備の運転方法の実施例４で、図５に示す実施例３の変形例であり、請求項４、５、１２、１３、１４、１５に係るものである。図中、図５と同一のものには同一の符号が付してある。
【００６５】
而して、前述の図５の実施例３においては、全ての噴霧系列で、第一の管路４に対して第三の開閉弁３１を設けないようにしているが、全ての噴霧系列で、第一の管路４ａには第二の管路２３を介して与圧タンク２２が接続されている。しかし、本実施例４においては、図５の場合と同様、全ての噴霧系列において、第一の管路４に対して第三の開閉弁３１を設けないようにすると同時に、全ての噴霧系列の第一の管路４から第二の管路２３や与圧タンク２２を撤去し、第六の管路４ａの管路３３接続位置よりも送水方向下流側で第一噴霧系列に近接した位置、及び第六の管路４ａの高圧ポンプ２側から最も離反した第Ｎ噴霧系列側において、第六の管路４ａに接続された第二の管路２３と第二の管路２３に接続された与圧タンク２２とを設けている。
【００６６】
斯かる構成とした場合の水Ｗの噴霧時の第一の開閉弁２４及び第２の開閉弁２８の開閉のタイミングは図６の場合と同様であり、これに伴う与圧タンク２２、膨張タンク２７の圧力の変化の状態、噴霧ノズル５入側の圧力の変化の状態も図６の場合と同様である。而して、この実施形態例においても、水Ｗの噴霧開始時及び終了時の何れにおいても、噴霧ノズル５からの水の滴下を防止することができる。
【００６７】
上記実施例３，４においても、第一噴霧系列の水噴霧設備により噴霧を行う場合について説明しているが、同時に複数系列の水噴霧設備により噴霧を行うようにもできる。その場合は、噴霧を行う全ての噴霧系列において、第一及び第二の開閉弁の開閉が行われる。
【００６８】
なお、本発明の実施例においては、図示されている膨張タンク２７は密閉式のタンクであるが、内部が大気に開放された開放式のタンクとしても実施できること（この場合、水槽１からの給水圧力は０．２ＭＰａ程度であるため、管路３の内周底部から開放式のタンク水面までの高さは２０ｍ程度となる。）、その他、本発明の要旨を逸脱しない範囲内において種々変更を加えうることは勿論である。
【符号の説明】
【００６９】
２  高圧ポンプ（ポンプ）（共通ポンプ）
３  第三の管路
４  第一の管路
４ａ        第六の管路
５  噴霧ノズル
１８  弁体
１９  弾撥体
２０  感圧逆止弁
２２  与圧タンク
２３  第二の管路
２４  第一の開閉弁
２６  第四の管路
２７  膨張タンク
２８  第二の開閉弁
２９  第五の管路
２９ａ        第七の管路
３１  第三の開閉弁
Ｗ    水
Ａ    接続位置
【図１】
2010230238.tif 000003
【図２】
2010230238.tif 000004
【図３】
2010230238.tif 000005
【図４】
2010230238.tif 000006
【図５】
2010230238.tif 000007
【図６】
2010230238.tif 000008
【図７】
2010230238.tif 000009
【図８】
2010230238.tif 000010
【図９】
2010230238.tif 000011
【図１０】
2010230238.tif 000012